(57)【特許請求の範囲】
【請求項１】
室内と室外を連通するように壁面または天井に設けられたパイプに装着させるつば部と基部を有したセッティングリングと配線保持用溝を有した筒状部と、この筒状部の室内側開口の外周に半径方向に張り出した略方形状に形成されたフランジ部と、このフランジ部の周辺の背面側に形成された立ち上がり部とを設けた本体フレームとで構成され、前記筒状部と前記セッティングリングは一体成形し、前記セッティングリングの前記配線保持用溝と接触する箇所にスリットを設けたことを特徴とする換気装置。
【請求項２】
スリットの幅を、中心側より外周側を狭くしたことを特徴とする請求項１に記載の換気装置。
【請求項３】
スリットの周囲のつば部を、その他の部分に対して厚くしたことを特徴とする請求項１に記載の換気装置。
【請求項４】
基部を室外側のみに設けたことを特徴とする請求項１に記載の換気装置。
【発明の詳細な説明】
【技術分野】
【０００１】
本発明は、換気装置を換気口に取り付けるために換気口に設けられたパイプと換気装置の間に介在させるセッティングリングおよびこのセッティングリングにより取り付けられる換気装置に関するものである。
【背景技術】
【０００２】
従来、この種のセッティングリングは、換気口に設けられるパイプに挿入される換気装置の筒状部に装着され、前記パイプの内面を圧接する弾力性のあるものが知られている（例えば、特許文献１参照）。
【０００３】
以下、そのセッティングリングについて、図５を参照しながら説明する。
【０００４】
図５に示すように、従来のセッティングリング１０１は、換気装置の筒状部が挿入される略中央の開口１０２と、この開口１０２の周縁に形成され前記筒状部に装着される基部１０３と、この基部１０３の全周に渡って形成されるつば部１０４とによって構成され、前記つば部１０４は前記開口１０２に対して偏心して形成されることを特徴とするものである。
【先行技術文献】
【特許文献】
【０００５】
【特許文献１】特許第３９１４８５３号公報
【発明の概要】
【発明が解決しようとする課題】
【０００６】
このような従来のセッティングリングにおいては、つば部を有する弾力性のあるセッティングリングを略中央の開口を広げて換気装置の筒状部に挿入するが、場合によってはセッティングリングが筒状部に沿って移動し、その際、つば部が変形し、つば部とパイプの内面とが一部分接触せず気密性が低下するという課題を有していた。
【０００７】
そこで本発明は、上記従来の課題を解決するものであり、つば部を有する弾力性のあるセッティングリングをパイプに挿入しても気密性の低下を防止することができる換気装置を提供することを目的とする。
【課題を解決するための手段】
【０００８】
そして、この目的を達成するために、本発明は、室内と室外を連通するように壁面または天井に設けられたパイプに装着させるつば部と基部を有したセッティングリングと配線保持用溝を有した筒状部と、この筒状部の室内側開口の外周に半径方向に張り出した略方形状に形成されたフランジ部と、このフランジ部の周辺の背面側に形成された立ち上がり部とを設けた本体フレームとで構成され、前記筒状部と前記セッティングリングは一体成形し、前記セッティングリングの前記配線保持用溝と接触する箇所にスリットを設けたものであり、これにより所期の目的を達成するものである。
【発明の効果】
【０００９】
本発明によれば、室内と室外を連通するように壁面または天井に設けられたパイプに装着させるつば部と基部を有したセッティングリングと配線保持用溝を有した筒状部と、この筒状部の室内側開口の外周に半径方向に張り出した略方形状に形成されたフランジ部と、このフランジ部の周辺の背面側に形成された立ち上がり部とを設けた本体フレームとで構成され、前記筒状部と前記セッティングリングは一体成形し、前記セッティングリングの前記配線保持用溝と接触する箇所にスリットを設けるという構成にしたことにより、前記筒状部をパイプへ挿入する際、前記基部は前記筒状部に固定された状態で前記つば部が室内側へ倒れ、前記セッティングリングがパイプ内部と密着することになるので、つば部を有する弾力性のあるセッティングリングをパイプに挿入しても気密性の低下を防止することができる、という効果を得ることができる。
【図面の簡単な説明】
【００１０】
【図１】本発明の実施の形態１の換気装置のセッティングリングおよび本体フレームの形状を示す斜視図
【図２】同換気装置を示す斜視図
【図３】同換気装置のセッティングリングのスリットの形状を示す部分拡大図
【図４】同換気装置をパイプに取り付けた状態を示す側面断面図
【図５】従来換気装置のセッティングリングの形状を示す斜視図
【発明を実施するための形態】
【００１１】
本発明の請求項１記載の換気装置は、室内と室外を連通するように壁面または天井に設けられたパイプに装着させるつば部と基部を有したセッティングリングと配線保持用溝を有した筒状部と、この筒状部の室内側開口の外周に半径方向に張り出した略方形状に形成されたフランジ部と、このフランジ部の周辺の背面側に形成された立ち上がり部とを設けた本体フレームとで構成され、前記筒状部と前記セッティングリングは一体成形し、前記セッティングリングの前記配線保持用溝と接触する箇所にスリットを設けるという構成にしたことにより、前記筒状部をパイプへ挿入する際、前記基部は前記筒状部に固定された状態で前記つば部が室内側へ倒れ、前記セッティングリングがパイプ内部と密着することになるので、つば部を有する弾力性のあるセッティングリングをパイプに挿入しても気密性の低下を防止することができる、という効果を奏する。
【００１２】
また、セッティングリングのスリットの幅を、中心側より外周側を狭くしたという構造にしてもよい。これにより、配線を前記スリットの外周側の狭い空間に向かって挿入し、前記スリットの中心側に納めることになるので、配線を規定の位置に納める作業性を損なわずに、配線の保持力を向上させる、という効果を奏する。
【００１３】
また、スリットの周囲のつば部を、その他の部分に対して厚くしたという構造にしてもよい。これにより、スリットの周囲のつば部のみの弾性が増加するので、パイプへの挿入時の抵抗を増すことがなく、施工性を保ちながら配線の保持力を向上させることができる、という効果を奏する。
【００１４】
また、基部を室外側のみに設けたという構造にしてもよい。これにより、パイプへ筒状部を挿入する際に、つば部は前記基部がない方向へ倒れることとなるので、前記基部と前記つば部が重なり合うことを防止することができ、パイプへの前記筒状部の挿入力を低減する、という効果を奏する。
【００１５】
以下、本発明の実施の形態について図面を参照しながら説明する。
【００１６】
（実施の形態１）
図１〜図４に示すように、室内１７と室外１５を連通するように壁面１８または天井（図示せず）に設けられたパイプ１６に装着させる筒状部６に対して偏心して形成されたつば部２と筒状部６の周縁に形成される基部３を有したセッティングリング４と配線保持用溝５を有した筒状部６と、この筒状部６の室内側開口７の外周に半径方向に張り出した略方形状に形成されたフランジ部８と、このフランジ部８の周辺の背面側すなわち壁面１８に形成された立ち上がり部９とを設けた本体フレーム１とで構成され、前記筒状部６と前記セッティングリング４は基部３で一体成形し、前記セッティングリング４の前記配線保持用溝５と接触する箇所にスリット１２を設ける。
【００１７】
これにより、前記筒状部６をパイプ１６へ挿入する際、前記基部３は前記筒状部６に固定された状態で前記つば部２が室内１７側へ倒れ、前記セッティングリング４がパイプ１６内部と密着することになるので、つば部２を有する弾力性（ショアーＡ硬度４０度から６５度）のあるセッティングリング４をパイプ１６に挿入しても気密性の低下を防止することができる。
【００１８】
また、セッティングリング４のスリット１２の幅を、中心側である中心側開口１４より外周側である外周側開口１３を狭くした。
【００１９】
そして、筒状部６は内部にモーター１０を設ける構造であり、配線１１によってモーター１０へ電源供給が行われ、配線１１はセッティングリング４のつば部２の内側に納められることによって、配線保持用溝５に沿って組み立てられる。
【００２０】
これにより、配線１１を前記スリット１２の外周側の狭い空間である外周側開口１３に向かって挿入して配線保持用溝５に納めることになるので、配線１１を規定の位置である配線保持用溝５に納める作業性を損なわずに、配線１１の保持力を向上させる、すなわち、配線１１が配線保持用溝５から浮き出ることなく換気装置を組み立てることができるので、パイプ１６に筒状部６を挿入するときに、配線１１がパイプ１６の端部（図示せず）に接触することによる傷つきを防止することができる。
【００２１】
例えば、外周側開口１３を約２ｍｍとし、中心側開口１４を約４ｍｍとすることによって、外径φ５ｍｍの配線１１を用いる場合に作業性がよく、容易に外れない構造とすることができる。
【００２２】
また、スリット１２の周囲のつば部２のみを、例えばその他の部分の厚みの約２倍とする。
【００２３】
これにより、スリット１２の周囲のつば部のみの硬度が増加するので、パイプ１６への挿入時の抵抗を増すことがなく、施工性を保ちながら配線１１の保持力を向上させることができる。
【００２４】
また、基部３を室外１５側のみに設ける。
【００２５】
これにより、パイプ１６へ筒状部６を挿入する際に、つば部２は前記基部３がない方向へ倒れるので、前記基部３と前記つば部２が重なり合わないので、パイプ１６への前記筒状部６の挿入力を低減できる。
【産業上の利用可能性】
【００２６】
本発明にかかる換気装置は、つば部を有する弾力性のあるセッティングリングをパイプに挿入しても気密性の低下を防止することを可能とするものであるので、壁面または天井に設置され、屋外と連通するダクト等に接続され、室内の換気を行う空気調和機等として有用である。
【符号の説明】
【００２７】
１      本体フレーム
２      つば部
３      基部
４      セッティングリング
５      配線保持用溝
６      筒状部
７      室内側開口
８      フランジ部
９      立ち上がり部
１０    モーター
１１    配線
１２    スリット
１３    外周側開口
１４    中心側開口
１５    室外
１６    パイプ
１７    室内
１８    壁面
【図１】
0006364619.tif 000002
【図２】
0006364619.tif 000003
【図３】
0006364619.tif 000004
【図４】
0006364619.tif 000005
【図５】
0006364619.tif 000006